(57)【要約】【課題】吸い込んだ塵埃による破損および騒音を抑制した集塵カップを提供する。【解決手段】ケース体51の吸気口71に対向する位置に弾性フィルタ84を配置する。弾性フィルタ84の周囲に、弾性フィルタ84とは異なる部材のフィルタ81を配置する。吸気口71に対向する位置に弾性フィルタ84を配置しているので、例えば固形ごみなどの塵埃を吸気口71から吸い込んだ場合でも、この塵埃が弾性フィルタ84に衝突するため、フィルタ81などの破損および衝突時の騒音を抑制できる。【選択図】図１
2011147545.tif 000002
【特許請求の範囲】
【請求項１】
吸気口を備えたケース体と、
このケース体の前記吸気口に対向する位置に配置された弾性部材と、
この弾性部材の周囲に設けられこの弾性部材とは異なる部材のフィルタと
を具備したことを特徴とした集塵装置。
【請求項２】
弾性部材は、少なくとも一部が通気性を有し、
フィルタは剥離性が高い表面を有している
ことを特徴とした請求項１記載の集塵装置。
【請求項３】
弾性部材は、ケース体に対して着脱自在である
ことを特徴とした請求項２記載の集塵装置。
【請求項４】
集塵室、および、この集塵室と外気とを連通させる本体吸込口を備えた本体ケースと、
前記集塵室に吸込側が連通して前記本体ケースに収容された電動送風機と、
吸込口を前記本体吸込口に連通させて前記集塵室に配置された請求項１ないし３いずれか一記載の集塵装置と
を具備したことを特徴とした電気掃除機。
【発明の詳細な説明】
【技術分野】
【０００１】
本発明は、吸込口を備えたケース体を有する集塵装置およびこれを備えた電気掃除機に関する。
【背景技術】
【０００２】
従来、この種の電気掃除機は、中空状の本体ケースを備えている。この本体ケースには、集塵装置としての集塵カップが着脱可能に配置される集塵室が前部に区画され、この集塵室に吸込側が連通する電動送風機が配置される電動送風機室が後部に区画されている。また、本体ケースの前部には、集塵室に連通しホース体などが接続される本体吸込口が開口形成されている。
【０００３】
そして、集塵室に着脱される集塵カップは、合成樹脂などにより形成されたケース体を備えている。このケース体は、本体吸込口と連通する吸込口が前部に形成され、電動送風機の吸込側と連通する排気口が後部に形成されている。さらに、吸込口に対向する位置には、塵埃を捕集しつつ空気を排気口(電動送風機)側へと通過させるフィルタが取り付けられている(例えば、特許文献１参照。)。
【先行技術文献】
【特許文献】
【０００４】
【特許文献１】特開２００４−８９２６４号公報(第３−７頁、図１)
【発明の概要】
【発明が解決しようとする課題】
【０００５】
掃除の際には、ホース体などから空気とともに吸い込んだ塵埃は、本体吸込口から吸込口を介して集塵カップのケース体の内部へと直進する。このため、作業者が誤って金属ごみなどの固形ごみを吸い込んだ際には、この固形ごみが集塵カップのケース体内へと吸気風とともに直進し、吸込口に対向するフィルタに直接衝突することとなる。
【０００６】
このため、フィルタが例えばナイロンなどの合成樹脂繊維によって形成されたメッシュ状などの場合には、吸気風とともに加速された固形ごみがフィルタを傷付けるおそれがある。
【０００７】
この点、強度を加味してフィルタを例えば金属などにより形成することも考えられるものの、この場合には、固形ごみがフィルタに衝突した際に大きな音が発生し、騒音となるという問題がある。
【０００８】
本発明は、このような点に鑑みなされたもので、吸い込んだ塵埃による破損および騒音を抑制した集塵装置およびこれを備えた電気掃除機を提供することを目的とする。
【課題を解決するための手段】
【０００９】
本発明は、ケース体の吸気口に対向する位置に配置された弾性部材と、この弾性部材の周囲に設けられこの弾性部材とは異なる部材のフィルタとを具備したものである。
【発明の効果】
【００１０】
本発明によれば、吸気口に対向する位置に弾性部材を配置しているので、例えば固形ごみなどの塵埃を吸気口から吸い込んだ場合でも、この塵埃が弾性部材に衝突するため、フィルタなどの破損および衝突時の騒音を抑制できる。
【図面の簡単な説明】
【００１１】
【図１】本発明の一実施の形態の集塵装置を示す縦断面図である。
【図２】図１のＡ−Ａ断面図である。
【図３】同上集塵装置を示す斜視図である。
【図４】同上集塵装置を備えた電気掃除機を示す斜視図である。
【発明を実施するための形態】
【００１２】
以下、本発明の一実施の形態の構成を図１ないし図４を参照して説明する。
【００１３】
図４において、11はいわゆるキャニスタ型の電気掃除機を示し、この電気掃除機11は、吸込風路体である管部12と、この管部12が着脱可能に接続される掃除機本体13とを有している。
【００１４】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１５】
手元操作部17には、把持部21がホース体16側へと突出し、この把持部21には、操作用の設定ボタン22が複数設けられている。
【００１６】
また、掃除機本体13は、本体ケース25を備え、この本体ケース25の内部に形成された図示しない隔壁の後側(下流側)に、電動送風機27を収容する図示しない電動送風機室、および、図示しない電源コードを巻回したコードリールを収容する図示しないコードリール室とが区画されているとともに、隔壁の前側(上流側)に、この隔壁に設けられた連通口を介して電動送風機27の吸込側に連通する集塵室35が区画され、この集塵室35に、集塵装置としての集塵カップ36(図１)が着脱可能に設けられている。
【００１７】
本体ケース25は、例えば剛性を有する合成樹脂などにより形成され、上側が開口した下ケース38と、この下ケース38の上側後部である電動送風機室およびコードリール室を覆う上ケース39と、この上ケース39あるいは下ケース38に対して上下方向に回動可能に軸支され集塵室35を開閉可能とする本体蓋40と、電動送風機室およびコードリール室の後部を覆う図示しない後部パネルとを備えている。
【００１８】
下ケース38の前側には、集塵室35と本体ケース25(掃除機本体13)の外部(外気)とを連通し接続管部15を連通接続可能な本体吸込口43が開口形成されている。さらに、下ケース38の両側部には、掃除機本体13を被掃除面である床面上で走行可能にする径大の走行輪44が回転自在に取り付けられている。そして、下ケース38の下部には、掃除機本体13に旋回性を付与してこの掃除機本体13の走行性を向上するための図示しない旋回輪ユニットが旋回自在に取り付けられている。
【００１９】
また、上ケース39には、掃除機本体13を持ち運ぶためのハンドル体47が取り付けられている。このハンドル体47は、電源コードのコードリールへの巻き取り用のボタンとしても機能するように構成されている。
【００２０】
また、後部パネルには、電動送風機室およびコードリール室と本体ケース25(掃除機本体13)の外部(外気)とを連通する本体排気孔が上下方向および左右方向に複数形成されている。
【００２１】
そして、集塵カップ36は、図１ないし図３に示すように、例えば剛性を有する合成樹脂などにより形成されたケース体51と、このケース体51の後部に着脱可能に配置された排気側フィルタ部(２次フィルタ部)であるフィルタ体52と、ケース体51の下部に回動可能に軸支された蓋体53とを備えている。
【００２２】
ケース体51は、吸い込んだ塵埃の大部分(主に粗塵)を実質的に収容する塵埃収容部56および吸気風が通過する風路を区画するケース本体部61と、このケース本体部61の下流側である後部に連続しフィルタ体52を着脱するためのフィルタ体取付部62と、ケース本体部61の上部に位置する把持用のハンドル63とを一体に有している。また、このケース体51の内面部には、ケース本体部61とフィルタ体取付部62との間の位置に、取付部としての枠部64が枠状に形成されている。
【００２３】
ケース本体部61は、上流側面部である正面視四角形状の前面部65と、この前面部65の上部から後方へと連続する上面部66と、前面部65および上面部66の両側部に連続する側面部67，67とを備えている。
【００２４】
前面部65には、上下方向の略中央部に、前後方向に沿って開口方向(軸方向)を有する円筒状の吸気口71が水平状に形成されている。この吸気口71の前端部の外周縁部全体には、圧接部であるフランジ部72が形成されており、このフランジ部72は、本体吸込口43の下流側に対して、集塵カップ36を集塵室35に取り付けた状態で図示しないシール部材などを介して圧接されることにより、吸気口71と本体吸込口43とを気密に接続するように構成されている。
【００２５】
また、フィルタ体取付部62は、四角形枠状に形成されており、上面部66および側面部67，67の後部に段差状に拡開されている。すなわち、このフィルタ体取付部62は、ケース本体部61の内部を介して吸気口71の下流側に連通する排気口75を、ケース体51の後部に四角形状に区画している。この排気口75は、吸気口71に対向する位置に開口形成されており、吸気口71から吸い込まれた吸気風が電動送風機27(図４)側へと通過可能に構成されている。
【００２６】
そして、このフィルタ体取付部62の下部と、ケース本体部61の前面部65および側面部67，67の下部には、塵埃収容部56に連通する塵埃廃棄用の塵埃排出口77が区画されている。
【００２７】
また、ハンドル63は、ケース体51の左右幅方向に沿って上面部66に形成されている。また、このハンドル63には、蓋体53を係止させるための図示しない係止機構を動作させる図示しない操作ボタンが配置されている。
【００２８】
さらに、枠部64には、濾過フィルタとしての１次フィルタであるフィルタ81が、この枠部64の内縁全体の開口82を覆って取り付けられている。また、このフィルタ81には、開口部83が形成されており、この開口部83には、正面視で円形状の弾性部材としての弾性フィルタ84が着脱可能に取り付けられている。
【００２９】
フィルタ81は、主として粗塵を塵埃収容部56内に捕集するためのものであり、正面視で開口82の形状に対応する四角形状に形成され、ケース体51のケース本体部61内を横断するように配置されている。また、このフィルタ81は、例えばＰＴＦＥ(ポリテトラフルオレエチレン)などが表面加工された表面集塵フィルタであり、弾性フィルタ84の表面よりも剥離性が高い構成となっている。さらに、このフィルタ81は、例えば所定方向に沿う山部と谷部とが交互に形成された、換言すれば襞が形成された、プリーツ形状に形成されている。また、このフィルタ81は、弾性フィルタ84よりも表面積および通気面積が大きく設定されている。そして、このフィルタ81は、弾性フィルタ84よりも弾性が小さい、本実施の形態では弾性を有さない(非弾性の)部材により形成されている。
【００３０】
開口部83は、ケース体51の吸気口71の下流側に対向する位置、例えばフィルタ81の中央部付近に、例えば円形状に形成されている。また、この開口部83の内縁部全体には、弾性フィルタ84を保持するための保持枠部86が一体的に形成されている。換言すれば、フィルタ81は、保持枠部86と枠部64との間の部分全体を覆って取り付けられている。この保持枠部86は、例えば硬質の合成樹脂など、フィルタ81よりも剛性が大きい部材により形成されている。なお、この保持枠部86は、通気性を有していなくてもよいし、通気性を有していてもよい。
【００３１】
弾性フィルタ84は、可撓性および弾性を有する、フィルタ81とは異なる部材によって正面視で円形状に形成されており、開口部83全体を気密に閉塞している。また、この弾性フィルタ84は、正面視で円形状の本体部としてのフィルタ部84aと、このフィルタ部84aの外周縁部全体に形成され保持枠部86に着脱可能に保持される係合部84bとを備え、この係合部84bの周囲に溝部84cが形成されている。
【００３２】
フィルタ部84aは、通気性を有し、弾性フィルタ84を開口部83に取り付けた状態で全体が吸気口71に対向しており、例えば吸気口71と同軸となっている。また、このフィルタ部84aは、例えば吸気口71の投影位置Ａ以上の面積を有している。すなわち、このフィルタ部84aは、外縁部が吸気口71の投影位置Ａ、あるいはこの投影位置Ａよりも外方に位置している。
【００３３】
係合部84bは、溝部84cにより断面コ字状に形成されており、保持枠部86に前後から密着することで弾性フィルタ84を開口部83に対して気密に取り付け可能となっている。また、この係合部84bは、弾性フィルタ84を開口部83に取り付けた状態で、外周側が保持枠部86から外方、すなわちフィルタ81側へと突出しない大きさに形成されている。なお、この係合部84bは、フィルタ部84aと同一の通気性を有する材質で一体に形成してもよいし、フィルタ部84aと異なる材質で形成してもよい。
【００３４】
溝部84cは、保持枠部86が気密に挿入嵌合されるもので、例えば係合部84bの全周に亘って形成されている。
【００３５】
一方、フィルタ体52は、排気口75全体を閉塞するようにフィルタ体取付部62の後部に取り付け可能である。すなわち、このフィルタ体52は、フィルタ81の下流側に位置し、塵埃収容部56を介して吸気口71側と連通している。このフィルタ体52は、四角形枠状のフィルタ枠91と、このフィルタ枠91に保持された排気側フィルタである２次フィルタ92とを備えている。
【００３６】
フィルタ枠91は、フィルタ体52を排気口75に取り付けた状態でこの排気口75の縁部との隙間を気密に閉塞するように構成されている。
【００３７】
２次フィルタ92は、フィルタ81で捕集できなかった微細な塵埃(細塵)を捕集するものであり、例えば山部と谷部とが左右幅方向に交互に連続したプリーツ形状をなしている。なお、この２次フィルタ92の後部(下流側)には、この２次フィルタ92に捕集した塵埃を手動あるいは自動により動作して除去する除塵手段などを設けてもよい。
【００３８】
また、蓋体53は、上側が開放された平皿状に形成されており、例えば後部がケース体51に回動可能に軸支されている。このため、この蓋体53は、回動により塵埃排出口77を開閉可能である。また、この蓋体53の上側の周縁部には、蓋体53を閉じた状態でケース体51の下端部に圧接されて塵埃排出口77を気密に閉塞するための可撓性(弾性)を有する図示しない集塵シール部材が取り付けられている。
【００３９】
また、図４に示す電動送風機27は、電動送風機室に前後方向に沿って配置されている。さらに、電動送風機27は、本体ケース25(掃除機本体13)内に収容された図示しない制御手段である本体制御部により、設定ボタン22で設定された動作モードで駆動するように制御される。そして、この電動送風機27は、吸込側がインデューサなどを介して隔壁の連通口に気密に接続されている。
【００４０】
次に、上記一実施の形態の作用を説明する。
【００４１】
まず、図４に示す掃除機本体13の集塵室35内に集塵カップ36を取り付け、掃除機本体13の本体吸込口43に対して管部12の接続管部15を接続し、ホース体16、延長管18および床ブラシ19を順次連通接続した状態で、床ブラシ19を床面上に載置して、把持部21を把持し、所望の設定ボタン22を操作することで、本体制御部が電動送風機27を所望の動作モードで動作させる。そして、作業者は、把持部21により、延長管18を介して床ブラシ19を床面上で前後に走行させる。
【００４２】
電動送風機27の駆動により生じる負圧は、インデューサ、隔壁の連通口、集塵カップ36、本体吸込口43、ホース体16および延長管18を介して床ブラシ19に作用し、床面上の塵埃を空気とともに吸い込む。
【００４３】
この吸い込まれた空気は、吸気風となり、塵埃とともに床ブラシ19から延長管18、ホース体16および本体吸込口43を介して、図１に示す集塵カップ36の吸気口71から集塵カップ36内に吸い込まれる。
【００４４】
この吸気風は、図１の矢印Ｗに示すように、吸気口71の開口方向に沿って水平状に塵埃収容部56内に流入し、一部が弾性フィルタ84のフィルタ部84aを通過し(矢印W1)、残りの他部がフィルタ81を通過する(矢印W2)。
【００４５】
このとき、吸気風に含まれる塵埃のうち、相対的に重量が大きい固形ごみ、金属ごみなどの粗塵は、吸気口71の開口方向に沿って直進し、弾性フィルタ84のフィルタ部84aに衝突し、衝突時の衝撃が吸収される。この後、この粗塵は、自重により落下して塵埃収容部56内に捕集される。
【００４６】
また、吸気風に含まれる粗塵のうち、相対的に重量が小さいものは、球気風がフィルタ部84a、あるいはフィルタ81を通過する際に濾過捕集される。
【００４７】
フィルタ81およびフィルタ部84aを通過した吸気風は、さらに２次フィルタ92を通過する際に、フィルタ81およびフィルタ部84aで捕集できなかった塵埃(細塵)が捕集される。
【００４８】
この後、吸気風は、排気口75から集塵カップ36の下流側(外側)へと排気され、連通口およびインデューサを介して電動送風機27の吸込側へと吸い込まれ、この電動送風機27を冷却しつつ通過して排気風となり、電動送風機室およびコードリール室から本体排気孔を介して掃除機本体13(本体ケース25)の外部へと排気される。
【００４９】
掃除が終了すると、作業者は図４に示す設定ボタン22を操作して、電動送風機27を停止させる。
【００５０】
このとき、集塵カップ36内のフィルタ81に表面集塵された塵埃は、吸気風が作用しなくなることで自重によりフィルタ81から、弾性フィルタ84のフィルタ部84aに捕集した塵埃などとともに剥がれ落ち、塵埃収容部56に収容された状態となる。
【００５１】
そして、集塵カップ36内に一定量以上の粗塵が溜まった際には、作業者は本体ケース25の本体蓋40を開いて集塵カップ36を集塵室35から取り外し、ハンドル63を把持して集塵カップ36をごみ箱などの廃棄部上へと持ち運んだ後、操作ボタンを操作して蓋体53を開くことにより、塵埃収容部56内に収容されていた塵埃が塵埃排出口77から自重落下する。このとき、フィルタ81を塵埃排出口77側からクリーニングし、弾性フィルタ84は係合部84bを弾性変形させて保持枠部86から取り外し、フィルタ部84aなどをクリーニングする。クリーニングが終了した弾性フィルタ84は、係合部84bを弾性変形させつつ開口部83に挿入し、この係合部84bを復帰変形させることで溝部84cに保持枠部86を係合させて、再度開口部83に取り付ける。
【００５２】
塵埃を廃棄した後は、蓋体53を閉じ、集塵室35内に再度取り付ける。そして、このように塵埃を廃棄することにより、集塵カップ36は繰り返し使用できる。
【００５３】
上述したように、上記一実施の形態によれば、吸気口71に対向する位置に弾性フィルタ84を配置しているので、例えば固形ごみなどの塵埃を吸気口71から吸い込んだ場合でも、この塵埃が直進して弾性フィルタ84に衝突して緩衝されるため、フィルタ81などの破損および衝突時の騒音を抑制できる。
【００５４】
特に、金属ごみなどの比較的重量が大きい塵埃を作業者が誤って吸い込んだ場合、この塵埃が吸気風とともに吸気口71からケース体51の内部へと吸い込まれ、慣性により直進する。このため、吸気口に対向する位置に通常のフィルタを配置している従来の場合では、この塵埃がフィルタを傷付けたり、フィルタを突き破ったりするおそれがあり、強度を加味してこのフィルタを金属製などとする従来の場合では、塵埃の衝突時に大きな音が発生するのに対して、本実施の形態では、塵埃が弾性フィルタ84に弾性的に衝突するので、フィルタ81の破損などが生じず、また、衝突時に騒音が発生することがない。
【００５５】
また、弾性フィルタ84を、通気性を有するものとし、かつ、フィルタ81の剥離性を弾性フィルタ84の剥離性よりも高いものとすることにより、電動送風機27を停止させた際に、フィルタ81に捕集した塵埃がフィルタ81から容易に剥離されるので、フィルタ81から剥離した塵埃と一体的に弾性フィルタ84のフィルタ部84aに捕集した塵埃なども剥離させることができ、フィルタ81および弾性フィルタ84のフィルタ部84aの経時的な目詰まりを抑制できる。
【００５６】
しかも、吸気口71に対向する位置にある弾性フィルタ84に、通気性を有するフィルタ部84aを設けているので、吸気口71から塵埃収容部56内に吸い込まれた吸気風が、吸気口71の開口方向に沿って直進してそのままフィルタ部84aを通過する。このため、吸気風の経路が短くなり、吸込仕事率の低下を抑制できる。
【００５７】
さらに、フィルタ81は、弾性フィルタ84のフィルタ部84aよりも剥離性が高いので、フィルタ部84aと比較して塵埃が付着しにくい。このため、仮にフィルタ部84aが経時的に目詰まりしてきた場合でも、塵埃収容部56内に流入した吸気風はフィルタ81側へとバイパスされ、すなわちフィルタ81が延命用のフィルタとして作用するので、吸込仕事率の低下を抑制できる。
【００５８】
そして、弾性フィルタ84を係合部84bによりケース体51、すなわち保持枠部86に対して着脱可能とすることにより、シール性を確保しつつ弾性フィルタ84を保持枠部86から取り外してクリーニング(メンテナンス)することができ、使い勝手が良好になる。特に、弾性フィルタ84は、フィルタ部84aが通気性を有するので、このフィルタ部84aに塵埃を捕集するため、弾性フィルタ84を保持枠部86から取り外すことで、フィルタ部84aに捕集した塵埃を効果的に除去できる。
【００５９】
なお、上記一実施の形態において、弾性フィルタ84に代えて、通気性を有さない弾性部材を取り付けてもよい。
【００６０】
また、弾性部材の形状は、吸気口71の投影位置Ａよりも広ければ、任意の形状とすることができる。
【００６１】
さらに、コードリール室、電源コードおよびコードリールなどは、必須の構成ではない。すなわち、電気掃除機11は、二次電池などの電池により電動送風機27などに給電する構成でもよい。
【００６２】
そして、電気掃除機11としては、例えば床ブラシ19を掃除機本体13の下部に接続したアップライト型、あるいはハンディ型など、集塵装置を用いる任意のものを用いることができる。すなわち、電気掃除機11の細部は、上記構成に限定されるものではない。
【符号の説明】
【００６３】
11    電気掃除機
25    本体ケース
27    電動送風機
35    集塵室
36    集塵装置としての集塵カップ
43    本体吸込口
51    ケース体
71    吸気口
81    フィルタ
84    弾性部材としての弾性フィルタ
【図１】
2011147545.tif 000003
【図２】
2011147545.tif 000004
【図３】
2011147545.tif 000005
【図４】
2011147545.tif 000006